(57)【特許請求の範囲】
【請求項１】
平板状の取付板と、凵形であって両端部にフランジを有するシーズヒータと、このシーズヒータの中間部と両端部を前記取付板に絶縁固定する複数個の碍子とを備え、前記シーズヒータの両端部を固定する碍子は、シーズヒータの前記両端部のそれぞれを取付板から離間して掛止しシーズヒータと取付板とを絶縁する第一碍子と、シーズヒータの前記フランジと掛止しシーズヒータの直線方向への変位を規制する第二碍子とから構成し、さらに前記シーズヒータの中間部を固定する第三碍子を備え、前記第一碍子は一側方を開放した収設部を有し、この収設部を前記取付板の内側に向けて固定し、前記シーズヒータの両端部を収設部に収設したヒータユニットのヒータ固定装置。
【請求項２】
前記第一碍子と第二碍子は隣接して取付板に固定し、第一碍子と第二碍子で異方向からシーズヒータを抱持するようにしたことを特徴とする請求項１に記載のヒータユニットのヒータ固定装置。
【発明の詳細な説明】
【０００１】
【発明の属する技術分野】
本発明は例えば長方形の電気コタツや長方形の掘コタツに最適なヒータユニットのヒータ固定装置に関する。
【０００２】
【従来の技術】
長方形の電気コタツや掘コタツに使用するヒータユニットは採暖領域を広げるためにコタツ本体の形状に合わせて長方形としている。
【０００３】
前述の様な長方形の電気コタツに長方形のヒータユニットを装着したものは実開昭６３−１５９１１２号公報に開示されている。この様な先行技術に使用されるヒータは、コタツの短辺部側の温度を高めてコタツ内の各部の温度を均一にすべく複数本の直状のヒータを同一直線上に配置している。
【０００４】
ところが、確かにこの様にヒータを同一直線上に配置した場合にはコタツの短辺部の中央部付近の温度が上昇するものの第１図に示すやぐらこたつ本体のコーナー部付近はそれ程温度が上昇せず温度ムラを生じた。
【０００５】
この様な点を改良するために長方形のヒータユニットの取付板（反射板）に凵形に折り曲げて熱源領域を広くしたシーズヒータを取り付けたものが提案された。
【０００６】
【発明が解決しようとする課題】
ところが、シーズヒータはもともと熱膨張率が高くなる性格を備えており、ヒータが直線形であって６００度の高温の場合にはそれぞれの両端が約１〜２ｍｍづつ膨張して伸長し、温度が低下した場合には収縮してほぼ元の長さに戻ることから、この伸縮の繰り返しによりシーズヒータの劣化を生じたり、端子の封口部に微小な隙間を生じ、この隙間から吸湿して絶縁不良を起たす原因となった。
【０００７】
さらに、シーズヒータが凵形に成形している場合には、取付板に取り付けた状態において、シーズヒータが高温になると熱膨張して端子側の直線部分が直線方向に伸長し、同時にそれぞれの両端部が離れるようにして外側に変位する現象が現れ、封口部の絶縁不良を生じると共に誤ってヒータユニットを落下した場合には衝撃に伴って両端部が揺動し変位する欠点があった。
【０００８】
本発明は上記の種々の点に鑑み、シーズヒータの熱膨張による伸長を抑え、且つ衝撃によって両端部が変位するのを防止したものである。
【０００９】
【課題を解決するための手段】
本発明の第一は、平板状の取付板と、凵形であって両端部にフランジを有するシーズヒータと、このシーズヒータの中間部と両端部を前記取付板に絶縁固定する複数個の碍子とを備え、前記シーズヒータの両端部を固定する碍子は、シーズヒータの前記両端部のそれぞれを取付板から離間して掛止しシーズヒータと取付板とを絶縁する第一碍子と、シーズヒータの前記フランジと掛止しシーズヒータの直線方向への変位を規制する第二碍子とから構成し、さらに前記シーズヒータの中間部を固定する第三碍子を備え、前記第一碍子は、一側方を開放した収設部を有し、この収設部を前記取付板の内側に向けて固定し、前記シーズヒータの両端部を収設部に収設したものである。
【００１０】
本発明の第二は、前記第一碍子と第二碍子は隣接して取付板に固定し、第一碍子と第二碍子で異方向からシーズヒータを抱持するようにしたものである。
【００１１】
【発明の実施の形態】
本発明のヒータユニットのヒータ固定装置を長方形の電気コタツに実装した場合の実施例を図面に基づいて説明する。
【００１２】
図１は本発明のヒータ固定装置を電気コタツに実装したヒータユニットの平面図、図２は同じくヒータユニットの取付状態を示す電気コタツの裏面図、図３は同じく要部断面図、図４は同じく要部分解斜視図、図５は同じく第二碍子の外観斜視図である。
【００１３】
（１）は長方形の電気コタツ本体で、外桟（２）（２）（２）（２）及び内桟（３）（３）（３）（３）とコーナー部に設けた複数本の脚（４）（４）（４）（４）と内桟の中央部に装着した長方形のヒータユニット（５）とから構成している。
【００１４】
前記ヒータユニット（５）の構成を詳述する。（６）は長方形で平板状の取付板、（７）は前記取付板（６）の中央部に取り付けた支持板、（８）は前記支持板（７）の上面に固定したモータで、ファン（９）を回転させる。（１０）、（１０）は前記取付板（６）に絶縁固定され前記ファン（９）を中心にして左右対称に配置した凵形のシーズヒータで、ヒータコイル（１１）を内装し、このヒータコイルに接続したリード棒（１２）を導出しており、折り曲げの中間部（１３）、（１３）と両端部（１４）（１４）、（１４）（１４）は後述する複数個の碍子により絶縁固定している。前記両端部（１４）（１４）、（１４）（１４）はシーズヒータに溶接した円形のフランジ（１５）（１５）を固定すると共に封口材（１６）にて密封し、図１に示すようにファン（９）側に接近させて配置している。
【００１５】
ここで、シーズヒータ（１０）、（１０）の固定構造を詳述する。（１７）（１７）…は下方に一対の支承片（１８）（１８）を有し、上方に該支承片間に位置する係当片（１９）を有した平面形状がＥ型の第一碍子で、前記支承片（１８）（１８）と係当片（１９）間には前記シーズヒータ（１０）が微小空間を残して収設される程度の空間であって一側方を開放した収設部（２０）を形成し、係当片（１９）に隣接してネジ孔（２１）を有している。
【００１６】
（２２）（２２）…は図４のように∩形の挿入部（２３）とネジ孔（２４）（２４）を設けた第二碍子で、図５のように挿入部（２３）の一側面には、その内壁に段部（２５）を形成している。
【００１７】
（２６）（２６）は前記第一碍子（１７）（１７）…と同形状であって支承片（２７）（２７）と係当片（２８）とネジ孔（図示せず）を有した平面形状がＥ型の第三碍子で、収設部（図示せず）を形成している。
【００１８】
（２９）は前記支持板（７）とシーズヒータ（１０）、（１０）の下方に装着したガードである。
【００１９】
次にシーズヒータ（１０）、（１０）の固定動作を説明する。始めにネジ（３０）（３０）を第三碍子（２６）（２６）のネジ孔に挿通して、取付板（６）の両側に第三碍子（２６）（２６）を固定する。この時、それぞれの収設部は取付板（６）の中心側に向けて固定する。
【００２０】
つづいて第一碍子（１７）（１７）…の収設部（２０）（２０）…を取付板（６）の内側に向けネジ（３１）（３１）…をネジ孔（２１）（２１）…に挿通して第一碍子を取付板（６）に固定する。
【００２１】
斯して、シーズヒータ（１０）、（１０）の中間部（１３）、（１３）を第三碍子（２６）、（２６）の収設部に収設すると共にシーズヒータ（１０）、（１０）の両端部（１４）（１４）、（１４）（１４）を第一碍子（１７）（１７）、（１７）（１７）の収設部（２０）（２０）、（２０）（２０）に収設する。
【００２２】
そして、第二碍子（２２）（２２）、（２２）（２２）の挿入部（２３）（２３）…内に前記シーズヒータ（１０）、（１０）の両端部（１４）（１４）、（１４）（１４）をはめた状態で第二碍子(２２)（２２）（２２）（２２）を第一碍子(１７)（１７）、（１７）（１７）方向にスライドして隣接させ、段部（２５）（２５）…と前記シーズヒータ（１０）、（１０）のフランジ（１５）（１５）…を掛止してネジ（３２）（３２）…をネジ孔（２４）（２４）…に挿通し第二碍子を取付板（６）に固定する。この結果、シーズヒータ（１０）、（１０）の両端部（１４）（１４）は、第一碍子の収設部と第二碍子の挿入部が異方向から抱持することになる。
【００２３】
上述の様なシーズヒータ（１０）、（１０）の固定に伴い、このシーズヒータが発熱して高温となり熱膨張して両端部（１４）（１４）…に伸長するような作用が生じてもフランジ（１５）（１５）…が段部（２５）（２５）…に当たり、シーズヒータ（１０）、（１０）の直線方向への変位を規制する。この直線方向への伸長は、シーズヒータ（１０）、（１０）の中間部（１３）、（１３）を第三碍子（２６）、（２６）によって掛止していることから、シーズヒータのヒータユニット（５）の長手方向への移動が阻止されるために生ずるものである。
【００２４】
そして、ヒータユニット（５）を装着した電気コタツ本体（１）或はヒータユニット（５）の単体を誤って落下した場合には、シーズヒータ（１０）、（１０）の両端部（１４）（１４）、（１４）（１４）がその衝撃によって左右に揺動するが、ヒータユニット（５）の外側方向への揺れは第一、第二碍子（１７）（１７）…、（２２）（２２）…によって抑えられ、ヒータユニット（５）の内側方向への揺れは第二碍子（２２）（２２）…の段部（２５）（２５）…とシーズヒータ（１０）、（１０）のフランジ（１５）（１５）…との掛止によって抑えられる。
【００２５】
さらに、シーズヒータ（１０）、（１０）の温度上昇に伴って両端部（１４）（１４）、（１４）（１４）がヒータユニット（５）の外側方向へ変位すべく作用するが、この場合にも前述の落下の場合と同様に第一、第二碍子（１７）（１７）…、（２２）（２２）…によって抑えられる。
【００２６】
【発明の効果】
以上の様に本発明は、第一硝子によって凵形のシーズヒータの両端部と取付板とを絶縁固定すると共に、第一碍子の収設部及び第二碍子によってシーズヒータの両端部が熱膨張に伴う伸長によって外側方向に拡開するのを阻止する。また第二碍子はシーズヒータの熱膨張に伴う伸長によって直線方向に変位するのを規制すると共に第一碍子と合わせて両端部が外側方向に拡開するのを防止する。第三碍子はシーズヒータの中間部を掛止して熱膨張に伴う伸長が分散するのを防止すると共にシーズヒータを水平状態を安定して保持する。
【００２７】
さらに、第一碍子と第二碍子を隣接して取付板に固定し、且つシーズヒータを異方向から抱持したことにより、シーズヒータの一番変位の大きい端部を一層強固に固定できるのは勿論のこと、第一碍子によるシーズヒータの掛止部と第二碍子によるシーズヒータの掛止部とが接近し、仮に両端部が第二碍子に対して外側方向に拡開すべく作用しても第二碍子は第一碍子と当接してそれぞれの碍子が協働して変位を規制することができる。
【図面の簡単な説明】
【図１】本発明のヒータ固定装置を電気コタツに実装したヒータユニットの平面図である。
【図２】同じくヒータユニットの取付状態を示す電気コタツの裏面図である。
【図３】同じく要部断面図である。
【図４】同じく要部分解斜視図である。
【図５】同じく第二碍子の外観斜視図である。
【符号の説明】
５  ヒータユニット
６  取付板
１０  シーズヒータ
１３  中間部
１４  両端部
１５  フランジ
１７  第一碍子
２２  第二碍子
２６  第三碍子
【図１】
0003649810.tif 000002
【図２】
0003649810.tif 000003
【図３】
0003649810.tif 000004
【図４】
0003649810.tif 000005
【図５】
0003649810.tif 000006